(57)【要約】【課題】  支柱の全体を替えることなくその一部を替えることにより、外観が異なりかつ組立、分解が容易な組立家具を提供することを目的とする。【解決手段】  物品等載置部材としての棚板１〜５が、下方から複数の支柱１１〜１４により支持され、該支柱は、心棒１６と該心棒を遊挿状態に被覆する外装体２１〜２４とから構成されている。前記物品等載置部材は、少なくとも前記心棒の上端部が挿入される１ないし複数個の貫通孔を備え、該貫通孔の内径が前記外装体の外径より小に設定されている。前記外装体の上端面が前記物品等載置部材の下面に当接する一方、前記物品等載置部材の上方から前記貫通孔より径大の連結手段２８が前記心棒の上端部に連結されている。外装体を別形状の外装体に替えたり、外装体の位置を変えたりすることにより、形状の異なる支柱となった異なったデザインの組立家具に変換できる。【選択図】  図１
2012016521.tif 000002
【特許請求の範囲】
【請求項１】
物品等載置部材が、下方から１ないし複数の支柱により支持され、
前記支柱は、心棒と該心棒を遊挿状態に被覆する外装体とからなり、
前記物品等載置部材は、少なくとも前記心棒の上端部が挿入される１ないし複数個の貫通孔を備え、該貫通孔の内径が前記外装体の外径より小に設定され、前記外装体の上端面が前記物品等載置部材の下面に当接する一方、前記物品等載置部材の上方から前記貫通孔より径大の連結手段が前記心棒の上端部に連結されていること特徴とする組立家具。
【請求項２】
前記心棒は、複数の心棒単体が連結されて形成されている請求項１に記載の組立家具。
【請求項３】
前記外装体は、複数個が高さ方向に積層されている請求項１又は２に記載の組立家具。
【請求項４】
前記外装体の複数個は、互いに形状が異なっている請求項３に記載の組み立て家具。
【請求項５】
前記心棒は、下端部において台座に連結され、該台座は、前記外装体の心棒挿通孔の内径より大なる外径を有する請求項１ないし４のいずれかに記載の組立家具。
【請求項６】
前記物品等載置部材の複数が、互いに異なる高さ位置に配置されている請求項１ないし５のいずれかに記載の組立家具。
【発明の詳細な説明】
【技術分野】
【０００１】
本発明は、収納棚、商品陳列棚、テーブルあるいは椅子等に応用できる組立家具に関する。
【背景技術】
【０００２】
従来から、種々の組立家具が提案されており、例えば収納棚に関して、棚板を両端に雌ねじが埋設された木製の支柱により支持するものとし、前記雌ねじに寸きりボルトからなる雄ねじをねじ合わせると共に、該雄ねじを下段又は上段の棚板から貫通させて棚板の反対側に突出させ、該雄ねじの突出部に雄ねじ部を有する圧着体をねじ合わせることにより支柱と棚板とを固定するようにしたものが公知である（特許文献１参照）。
【０００３】
このような構造の収納棚では、上段の棚板の上方に支柱を継ぎ足して、継ぎ足した支柱により別の棚板を支持させ、順次支柱と棚板と積み重ねることにより何段にも棚板を設けることができる。
【先行技術文献】
【特許文献】
【０００４】
【特許文献１】特開平１１−２９９５４６号公報
【発明の概要】
【発明が解決しようとする課題】
【０００５】
ところで、特許文献１に記載の組立家具の支柱は、前記のとおり両端に雌ねじが埋設されていなければならないものであるから、支柱を別形状のものとした場合には、該別形状の支柱の両端に雌ねじを埋設しなければならない。
【０００６】
しかしながら、このような木製の支柱の両端における雌ねじの埋設は手間がかかり、別形状の支柱の作成はコスト高となるので採用し難く、全体のデザインの自由度が阻害されることになる。
【０００７】
本発明は、このような技術的背景に鑑みてなされたもので、支柱の全体を替えることなくその一部を替えることにより、外観が異なりかつ組立、分解が容易な組立家具を提供することを目的とする。
【課題を解決するための手段】
【０００８】
前記目的を達成するために、本発明は、下記［１］〜［６］の構成を有する。
［１］  物品等載置部材が、下方から１ないし複数の支柱により支持され、
前記支柱は、心棒と該心棒を遊挿状態に被覆する外装体とからなり、
前記物品等載置部材は、少なくとも前記心棒の上端部が挿入される１ないし複数個の貫通孔を備え、該貫通孔の内径が前記外装体の外径より小に設定され、前記外装体の上端面が前記物品等載置部材の下面に当接する一方、前記物品等載置部材の上方から前記貫通孔より径大の連結手段が前記心棒の上端部に連結されていること特徴とする組立家具。
［２］  前記心棒は、複数の心棒単体が連結されて形成されている前項［１］に記載の組立家具。
［３］  前記外装体は、複数個が高さ方向に積層されている前項［１］又は［２］に記載の組立家具。
［４］  前記外装体の複数個は、互いに形状が異なっている前項［３］に記載の組み立て家具。
［５］  前記心棒は、下端部において台座に連結され、該台座は、前記外装体の心棒挿通孔の内径より大なる外径を有する前項［１］ないし［４］のいずれかに記載の組立家具。
［６］  前記物品等載置部材の複数が、互いに異なる高さ位置に配置されている前項［１］ないし［５］のいずれかに記載の組立家具。
【発明の効果】
【０００９】
本発明は、以下の効果を奏する。
【００１０】
［１］の発明では、支柱が、心棒と該心棒を遊挿状態に被覆する外装体とから構成されているので、外装体を別形状の外装体に替えることにより形状の異なる支柱を用いた異なったデザインの組立家具に変換できる。
【００１１】
また、前記物品等載置部材の上方から前記貫通孔より径大の連結手段が前記心棒の上端部に連結されているので、組立、分解に際して組立家具の上方から操作が行え、操作の際に組立家具の天地を逆にしたり、斜めにしたりしなくて良いので、組立、分解が行いやすい。
【００１２】
［２］の発明では、心棒は、複数の心棒単体が連結されて形成されているので、心棒単体の個数の増減により支柱の高さ調節が行え、組立家具が商品陳列棚である場合は、棚板の高さ位置を変えたり、あるいは組立家具がテーブルである場合は、天板の高さ位置を変えたりというようなデザイン変更を可能とする。
【００１３】
［３］の発明では、前記外装体の複数個が高さ方向に積層されているので、積層される外装体の個数を変えることにより、物品等載置部材の高さ位置を変えることができ、支柱の高さ調節に対する対応が行え、デザイン変更に寄与できる。
【００１４】
［４］の発明では、前記外装体の複数個は、互いに形状が異なっているので、上下の外装体の入れ替えにより異なった形状の支柱を形成でき、デザイン変更に寄与できる。
【００１５】
［５］の発明では、前記心棒は、下端部において台座に連結され、該台座は、前記外装体の心棒挿通孔の内径より大なる外径を有しているので、組立家具を上方に持ち上げた際に、心棒から外装体が外れることが防止される。
【００１６】
また、台座の外径を可及的大とすることにより、単一の支柱のみで自立できる組立家具を提供できる。
【００１７】
［６］の発明では、前記物品等載置部材の複数が、互いに異なる高さ位置に配置されているので、例えば、商品陳列棚あるいは収納棚として好適な組立家具を提供できる。
【図面の簡単な説明】
【００１８】
【図１】本発明の組立家具の第１実施形態の全体斜視図である。
【図２】第１実施形態の要部分解状態斜視図である。
【図３】図１のIII−III線断面図である。
【図４】第１実施形態の組立途上の斜視図である。
【図５】第１実施形態の組立途上の斜視図である。
【図６】本発明の第２実施形態の斜視図である。
【図７】図６のVII−VII線断面図である。
【図８】本発明の第３実施形態の斜視図である。
【発明を実施するための形態】
【００１９】
本発明に係る組立家具の実施形態を、図面を参照しながら具体的に説明する。
【００２０】
図１〜５に示す第１実施形態の組立家具は、例えば、店舗の商品ディスプレーに用いられる商品陳列棚として形成されているもので、物品等載置部材としての第１棚板１と該第１棚板１の上方に配置された第２棚板２が、第１支柱１１及び第２支柱１２により支持される一方、第３棚板３と該第３棚板３の上方に配置された第４棚板４が、第３支柱１３及び第４支柱１４により支持され、第５棚板５が、その一端部は前記第１棚板１と第２棚板２との中間高さ位置に、他端部は前記第３棚板３と第４棚板４との中間高さ位置にあって、第２支柱１２及び第３支柱１３により支持されている。
【００２１】
図１に示すように、前記第１棚板１と前記第２棚板２とは同形同大、第３棚板３と第４棚板４とは同形同大に形成されている。
【００２２】
前記各支柱１１〜１４は、複数の金属製の第１心棒単体１７どうし又は第１心棒単体１７と第２心棒単体１８とが連結されてなる心棒１６と、該心棒１６を遊挿状態に被覆する木製の外装体２１〜２４とから構成されている。
【００２３】
前記第１心棒単体１７は、一端に突部としての雄ねじ部１７ａが設けられる一方、他端に前記雄ねじ部１７ａに対応する凹部としての雌ねじ部１７ｂが設けられ、一つの心棒単体１７の雄ねじ部１７ａを他の心棒単体１７の雌ねじ部１７ｂにねじ合わせることにより、複数の心棒単体１７が長さ方向に連結されることにより１本の心棒１６が形成されている。
【００２４】
最下段の心棒単体１７は、その下端の雄ねじ部１７ａと台座８の雌ねじ部８ａとがねじ合わされている。
【００２５】
前記第２心棒単体１８は、前記第１心棒単体１７の約１／２の長さに形成されたもので、第１心棒単体１７と同様に、一端に突部としての雄ねじ部１８ａが設けられる一方、他端に前記雄ねじ部１８ａに対応する凹部としての雌ねじ部１８ｂが設けられ、一つの心棒単体１８の雄ねじ部１８ａを他の心棒単体１８の雌ねじ部１８ｂにねじ合わせることはもとより、前記第１心棒単体１７にもねじ合わせて連結できるように形成されている。
【００２６】
前記第１〜第３外装体２１〜２３は、図２及び図３に示すように、中央に心棒１６が挿通される心棒挿通孔２１ａ、２２ａ、２３ａが長さ方向に設けられ、第４外装体２４の詳細図は省略するが、他の外装体２１〜２３と同様の心棒挿通孔が設けられている。
【００２７】
第１外装体と第４外装体とは同じ長さ、第２外装体と第３外装体とは同じ長さであってかつ前記第１外装体及び第４外装体と同じ長さに形成されている。
【００２８】
前記台座８は、前記外装体２１〜２４の心棒挿通孔２１ａ、２２ａ、２３ａの内径より大なる外径を有している。
【００２９】
この実施形態では、図２に示すように、下段の第１棚板１及び第３棚板３の下方では、形状の異なる第１〜第３外装体２１、２２、２３が高さ方向に積層された状態で、心棒１６を被覆している。
【００３０】
また、第１支柱１１と第４支柱１４には、第１棚板１と第２棚板２との間及び第３棚板３と第４棚板４との間においては、心棒１６が第４外装体２４により被覆されている。
【００３１】
前記第２支柱１２には、第１棚板１と第５棚板５との間及び第５棚板５と第２棚板２との間においては、心棒１６が第２外装体２２、２２により被覆され、第３支柱１３には、第３棚板３と第５棚板５との間及び第５棚板５と第４棚板４との間においては、心棒１６が第２外装体２２、２２により被覆されている。
【００３２】
前記第１〜５棚板１〜５の各々は、長さ方向の両端部対称位置に前記心棒１６が挿入される貫通孔１ａ，２ａ、４ａ、５ａが設けられている（第３棚板の貫通孔については図示省略）。
【００３３】
該貫通孔１ａ，２ａ、４ａ、５ａの内径は、前記第１〜４外装体２１、２２、２３、２４の外径より小に設定されている。
【００３４】
この設定により、組立状態のもとで、第３外装体２３の上端面が、第１棚板１又は第３棚板３の下面に当接し、第２外装体２２の上端面が第５棚板５、第２棚板２又は第４棚板４の下面に当接し、第４外装体４の上端面が第２棚板２又は第４棚板４の下面に当接している。
【００３５】
また、図３に示すように、最上段の第２棚板２の貫通孔２ａ及び第４棚板４の貫通孔４ａに挿入された心棒１６に、雄ねじ体２７がねじ合わされ、各棚板２，４の上方に突出する雄ねじ体２７の上端部に、装飾体２８の下端部に埋設された雌ねじ部２８ａがねじ合わされることにより、最上段の棚板が心棒１６に固定されている。
【００３６】
前記装飾体２８は、その下面が前記貫通孔２ａ、４ａより径大に形成されており、前記雄ねじ体２７と共に連結手段を構成している。
【００３７】
而して、上記構成を有する組立家具の組立手順を図４〜５に基づいて説明すると、例えば、第１支柱１１〜第４支柱１４を形成するために各支柱について、一つの第１心棒単体１７の下端に台座８を連結し，上端にもう一つの第１心棒単体１７を連結し、該連結したものを第１支柱１１〜第４支柱１４の心棒１６の基礎とする。
【００３８】
該心棒１６の基礎に、各心棒１６の上端から第１外装体１、第２外装体２及び第３外装体３を順に心棒１６に相対的に挿通させると、第３外装体２３の上方に第１心棒単体１７の上端が僅かに突出する。
【００３９】
この僅かに突出した第１心棒単体１７の上端部を、第１棚板１の貫通孔１ａ、第３棚板３の貫通孔（図示省略）に相対的に嵌め合わせると共に、図４に示すように、第１支柱〜第４支柱１１〜１４の各々に第２心棒単体１８、１８を２本ずつ連結する。
【００４０】
第２支柱１２及び第３支柱１３については、図４に示すように、前記第２心棒単体１８の上端から第２外装体２２の一つを相対的に挿通して、第２外装体２２を第１棚板１又は第３棚板３上に載置した状態とする。
【００４１】
また、第１支柱１１及び第４支柱１４については、前記第２心棒単体１８の上端から図４に示すように、第４外装体２４を相対的に挿通して、第４外装体２４を第１棚板１又は第３棚板３上に載置した状態とする。
【００４２】
次に、第２支柱及び第３支柱の心棒１６の上方から第５棚板５の貫通孔５ａに心棒１６を貫通させて、下方にある前記第２外装体２の上端面が第５棚板５の下面に当接するものとする。
【００４３】
この状態において、第１支柱１１と第２支柱１２に対して、第３支柱１３及び第４支柱１４とが、前記第１支柱１１と第２支柱１２とを通る直線上に位置しないので、この商品陳列棚Ａは自立することができる。
【００４４】
そして、第１支柱１１及び第４支柱１４の各々に、第２心棒単体１８、１８を２本ずつ連結し、該第２心棒単体１８、１８を第４外装体２４により被覆する一方、第５棚板５の上方に突出する第２心棒単体１８を第２外装体２２により被覆する。
【００４５】
その後、第１〜第４支柱１１〜１４の各心棒１６の先端を第２棚板２の貫通孔２ａ又は第４棚板の貫通孔４ａに挿通させるようにして、第４外装体２４及び第２外装体２２の上端縁が、第２棚板２および第４棚板４の下面に当接するものとする。
【００４６】
なお、第１支柱１１及び第４支柱１４の上端にはスペーサ３０を介在させて、第２棚板２及び第４棚板４が傾かないようにする。
【００４７】
最後に、各支柱の心棒１６上端の雌ねじ部１７ａに雄ねじ体２７をねじ合わせ、該雄ねじ体に装飾体２８の雌ねじ部を強固にねじ合わせることにより、この商品陳列棚Ａの組立が完了する。
【００４８】
この実施形態の商品陳列棚Ａは、第２棚板２及び第４棚板４の上方から該棚板２，４の貫通孔より径大の装飾体２８と該装装飾体にねじ合わされる雄ねじ体２７との連結操作により、組立が行え、その連結解除により分解を行えるので、組立、分解が行いやすい。
【００４９】
また、外装体２１〜２４を別形状の外装体に替えることにより形状の異なる支柱を用いた異なったデザインの組立家具を比較的安価に創出できる。
【００５０】
また、心棒１６は、複数の心棒単体１７、１８が結合されて形成されているので、心棒単体１７、１８の個数の増減により、支柱の高さを変えるというようなデザイン変更を可能とする。
【００５１】
さらに、外装体２１〜２４の複数個が高さ方向に積層されているので、積層される外装体の個数を変えることにより、棚板１〜４の高さ位置を変えるというようなデザイン変更はもとより、外装体の複数個は互いに形状が異なっているので、上下の外装体の入れ替えたり、他の外装体に替えたりすることにより、異なった形状の支柱を形成でき、デザイン変更に寄与できる。
【００５２】
前記心棒１６は、下端部において台座８に連結され、該台座８は、前記外装体下端縁の内径より大なる外径を有しているので、組立家具を上方に持ち上げた際に、心棒１６から外装体２１〜２４が外れることはない。
【００５３】
図６及び図７は、この発明の第２実施形態を示すもので、組立家具としてテーブルＢが形成されている。
【００５４】
この第２実施形態においては、テーブルの各支柱３１が、前記第１心棒単体１７が前記第２外装体及び第３外装体により被覆されることにより形成されている。
【００５５】
このテーブルにおいては、物品等載置部材としての天板３２の四隅に、座くり孔３３が設けられ、該座くり孔３３に差し込まれたボルトからなる連結手段３５が、天板３２の貫通孔３２ａに挿通された第１心棒単体１７に連結されている。
【００５６】
この第２実施形態も前記第１実施形態とほぼ同様の効果を奏する。
【００５７】
第２外装体２２と第３外装体２３とを入れ替えるだけでも、異なった外観を呈するテーブルを提供できる。
【００５８】
図８は、この発明の第３実施形態を示すもので、組立家具として椅子Ｃが形成されている。
【００５９】
この第３実施形態においては、椅子Ｃの各支柱４１が、前記第１心棒単体１７と第２心棒単体１８とが連結されてなる心棒に、前記第１外装体２１及び第２外装体２２が被覆されてなるものである。
【００６０】
座面４２における連結は、前記第２実施形態のテーブルＢと同様の方法で行われる。ただし、人が座る椅子であることから、詳細の構成は省略するが、着座者の衣服が引っ掛からないように連結手段と座面との間に隙間が生じないような処理がなされている。
【００６１】
なお，上記実施形態においては、いずれの物品等載置部材も複数の支柱によって支持されるものが示されているが、支柱の下端の台座面積を大きくすることに１本の支柱によって物品等載置部材が支持されていても良い。
【００６２】
そのような例としては、ハンガースタンドや店舗の案内板載置スタンド等として実施できる。
【００６３】
また、上記実施形態においては、心棒が複数の心棒単体が連結されて構成されているが、心棒が一本ものであって複数の心棒単体が連結されたものでなくても良い。
【符号の説明】
【００６４】
Ａ・・・組立家具（商品陳列棚）
Ｂ・・・組立家具（テーブル）
Ｃ・・・組立家具（椅子）
１・・・物品等載置部材（第１棚板）
１ａ・・・貫通孔
２・・・物品等載置部材（第２棚板）
２ａ・・・貫通孔
３・・・物品等載置部材（第３棚板）
３ａ・・・貫通孔
４・・・物品等載置部材（第４棚板）
５・・・物品等載置部材（第５棚板）
８・・・台座
８ａ・・・雌ねじ部
１１・・・第１支柱  
１２・・・第２支柱
１３・・・第３支柱
１４・・・第４支柱
１６・・・心棒
１７・・・第１心棒単体
１７ａ・・・突部（雄ねじ部）
１７ｂ・・・凹部（雌ねじ部）
１８・・・第２心棒単体
１８ａ・・・突部（雄ねじ部）
１８ｂ・・・凹部（雌ねじ部）
２１・・・第１外装体
２２・・・第２外装体
２３・・・第３外装体
２４・・・第４外装体
２７・・・連結体としての雄ねじ体
２８・・・連結体としての装飾体
２８ａ・・・雌ねじ部
【図１】
2012016521.tif 000003
【図２】
2012016521.tif 000004
【図３】
2012016521.tif 000005
【図４】
2012016521.tif 000006
【図５】
2012016521.tif 000007
【図６】
2012016521.tif 000008
【図７】
2012016521.tif 000009
【図８】
2012016521.tif 000010